(57)【要約】【課題】取付片の外面への部品取付性を良好にできる照明装置を提供する。【解決手段】照明装置10は、光源、光源を配設する筐体11、および筐体11に設けられた取付部26を備える。取付部26は、筐体11に一体形成されていて筐体11から突出する一対の取付片27を有する。一対の取付片27の互いに対向する内面33が上方に向かって拡開するように傾斜されているとともに、一対の取付片27の内面33に対して反対側の外面34が互いに平行に形成されている。【選択図】図１
2017033761.tif 000002
【特許請求の範囲】
【請求項１】
光源と；
前記光源を配設する筐体と；
前記筐体に一体形成されていて前記筐体から突出する一対の取付片を有し、これら一対の取付片の互いに対向する内面が上方に向かって拡開するように傾斜されているとともに、これら一対の取付片の前記内面に対して反対側の外面が互いに平行に形成されている取付部と；
を具備することを特徴とする照明装置。
【発明の詳細な説明】
【技術分野】
【０００１】
本発明の実施形態は、筐体に取付部が一体形成されている照明装置に関する。
【背景技術】
【０００２】
従来、例えば防犯灯等の照明装置では、筐体から突設された一対の取付片を利用してポールや電柱等の設置部に取り付けている。
【０００３】
一対の取付片は筐体に一体形成している場合がある。一体形成する場合、型抜きのために、一対の取付片の互いに対向する内面およびこの内面に対して反対側の外面の両面とも傾斜されている。
【０００４】
バンドや金具およびボルト等の取付部品により筐体の取付片を設置部に取り付ける場合、取付部品は取付片の外面に係合することが多いため、取付片の外面が傾斜していると、部品取付性が悪くなる。
【先行技術文献】
【特許文献】
【０００５】
【特許文献１】特開２０１４−７２１０６号公報
【発明の概要】
【発明が解決しようとする課題】
【０００６】
本発明が解決しようとする課題は、取付片の外面への部品取付性を良好にできる照明装置を提供することである。
【課題を解決するための手段】
【０００７】
実施形態の照明装置は、光源、光源を配設する筐体、および筐体に設けられた取付部を備える。取付部は、筐体に一体形成されていて筐体から突出する一対の取付片を有する。一対の取付片の互いに対向する内面が上方に向かって拡開するように傾斜されているとともに、一対の取付片の内面に対して反対側の外面が互いに平行に形成されている。
【発明の効果】
【０００８】
本発明によれば、取付片の外面への部品取付性を良好にすることが期待できる。
【図面の簡単な説明】
【０００９】
【図１】一実施形態を示す照明装置の背面図である。
【図２】同上照明装置の斜視図である。
【図３】同上照明装置の断面図である。
【発明を実施するための形態】
【００１０】
以下、一実施形態を、図１ないし図３を参照して説明する。
【００１１】
照明装置10は、例えば電柱やポールあるいは壁面等の設置部に設置される防犯灯である。
【００１２】
照明装置10は、筐体11、この筐体11に組み込まれた光源ユニット12および採光ユニット13、筐体11の下面に取り付けられた透光カバー14等を備えている。
【００１３】
まず、光源ユニット12について説明する。光源ユニット12は、基板17、この基板17にそれぞれ実装された光源としての発光素子18および電源回路19を備えている。
【００１４】
基板17は、略長方形に形成され、長手方向の一端側に発光素子実装領域17aが形成され、他端側に電源回路実装領域17bが形成されている。基板17は複数のねじ20で筐体11の下面に固定されている。
【００１５】
発光素子18は、例えばＳＭＤ（Surface Mount Device）パッケージ方式の複数のＬＥＤが用いられている。複数の発光素子18は、基板17の下面の発光素子実装領域17aに実装されている。なお、発光素子18は、ＬＥＤの場合にはＣＯＢ（Chip On Board）モジュールを用いてもよく、また、ＥＬ（Electro Luminescence）素子等を用いてもよい。
【００１６】
電源回路19は、基板17の電源回路実装領域17bに実装されている。電源回路19は、複数の電子部品21を有している。電子部品21には、基板17の上面に実装されていて照明装置10の周囲の明るさを検知するための照度センサ22が含まれている。そして、電源回路19は、外部から供給される交流電力を所定の直流電力に変換し、この直流電力を発光素子18に供給して発光素子18を発光させるものであり、さらに、照度センサ22によって検出する明るさが所定の閾値よりも低い場合に発光素子18を点灯させ、所定の閾値よりも高い場合に発光素子18を消灯させるように、発光素子18の点灯および消灯を自動的に制御する。
【００１７】
また、筐体11は、例えばアルミダイカスト等の金属製で一体成形されている。筐体11は、前後方向に長い形状に形成され、内部に空間25が形成されているとともに下面が開口されている。
【００１８】
筐体11の後部側には、照明装置10を設置部に取り付けるための取付部26が突設されている。取付部26は、筐体11に一体に形成されていて筐体11の後部側から後方へ突出する一対の取付片27を有している。一対の取付片27は、互いに所定の間隔をあけて筐体11の後部側から後方へ突設されている。
【００１９】
取付片27の後端部28は、筐体11の前端側が上昇するように筐体11の下面の角度が水平面に対して例えば２０°の角度に傾斜する状態で、水平面に対して垂直となるように構成されている。
【００２０】
取付片27には、後端部28と平行に取付溝29が形成され、後端部28と取付溝29との間の上下部に取付孔30が形成されている。さらに、取付片27には、アースねじ31が螺着されるねじ孔32が形成されている。なお、一対の取付片27にねじ孔32が形成されているが、アースねじ31は一方の取付片27のねじ孔32のみに螺着されている。
【００２１】
一対の取付片27の互いに対向する内面33は、上方へ向けて拡開するように傾斜する傾斜面に形成されている。
【００２２】
一対の取付片27の内面33に対して反対側の外面34は、互いに平行となる平行面に形成されている。すなわち、一対の取付片27の外面34は、一対の取付片27の対向方向に対して直交する平行面に形成されている。
【００２３】
一対の取付片27の内面33の上端間の間隔a1よりも下端間の間隔a2が狭く、一対の取付片27の外面34の上端間の間隔b1と下端間の間隔b2とは同じになっている。そのため、取付片27の上端の厚みc1よりも下端の厚みc2が厚くなっている。取付片27の内面33の傾斜角度は、筐体11を成形型で成形する際に一対の取付片27間からの型抜きが可能な角度以上の角度となっている。なお、成形型の型抜きは、一対の取付片27の間の型は上方に型抜きし、一対の取付片27の外面側の型は側方に型抜きする。
【００２４】
取付片27の取付溝29、取付孔30およびねじ孔32は外面34に対して垂直に形成されている。アースねじ31は、ねじ軸31aが取付片27の外面34からねじ孔32に螺着されるため、頭部31bは取付片27の外面34に対して平行に対向する。
【００２５】
筐体11の後部側には、一対の取付片27の間に、配線孔35および通気孔36が形成されている。配線孔35には、電源回路19に電源を供給する電線37が挿通するブッシング38が取り付けられている。通気孔36には、気体の通過を可能とするとともに液体の通過を不可とする内圧調整フィルタ39が取り付けられている。
【００２６】
筐体11の上面には採光孔40が形成されている。
【００２７】
また、採光ユニット13は、採光孔40を閉塞する採光窓43、およびこの採光窓43から採光された外光を照度センサ22に導く導光筒44を備えている。
【００２８】
また、透光カバー14は、透光性を有する例えば合成樹脂やガラス等の透明な材料によって一体に形成されている。透光カバー14は、筐体11の下面開口を閉塞し、複数のねじ47によって筐体11に固定されている。透光カバー14には、各発光素子18の位置に対応して配光を制御するレンズ部48が一体に形成されている。
【００２９】
そして、このように構成された照明装置10は、バンドや取付金具等の取付部品を用いて、例えば道路の脇に設置されたポールや電柱、あるいは壁面等の設置部に設置する。
【００３０】
例えば、バンドを用いて照明装置10をポールに取り付ける場合には、バンドを一対の取付片27の取付溝29に通すとともにポールの周囲に巻き付け、一対の取付片27をポールに締め付けて固定する。このとき、取付溝29に通したバンドは、取付片27の取付溝29と外面34との角部に係合するが、その角部は上下方向に対して傾斜せずに垂直となる状態にあるため、バンドがよれることなく、バンドの幅全体が取付片27の取付溝29と外面34との角部に平行に接合し、一対の取付片27をポールに締め付け固定することができる。
【００３１】
あるいは、取付金具を用いて照明装置10を設置部に設置する場合には、取付金具を一対の取付片27の間に配置し、ボルトを一方の取付片27の取付孔30から取付金具および他方の取付片27の取付孔30に通し、そのボルトの先端にナットを螺着し、ボルトの頭部を一方の取付片27の外面34に接合するとともにナットを他方の取付片27の外面34に接合させて締め付け固定する。このとき、ボルトの頭部およびナットとも、一対の取付片27の外面34に平行に接合するため、ボルトの頭部およびナットが締め付けに片寄りが生じることがない。
【００３２】
また、照明装置10を設置する際には、交流電源に対して電線37によって電源回路19を接続し、アース線をアースねじ31によって筐体11にアース接続する。
【００３３】
アースねじ31は、ねじ軸31aが取付片27の外面34からねじ孔32に螺着されるため、頭部31bは取付片27の外面34に対して平行に対向し、頭部31bと取付片27の外面34との間にアース線を均等な圧力で挟み込んで、確実にアース接続することができる。
【００３４】
そして、照明装置10の設置状態では、筐体11の前部側が上昇するように傾斜し、光源ユニット12の発光素子18の発光した際には、発光素子18からの光が透光カバー14のレンズ部48を通じて道路に照射される。
【００３５】
本実施形態の照明装置10によれば、一対の取付片27の互いに対向する内面33が上方へ向けて拡開するように傾斜しているため、筐体11の成形時において一対の取付片27からの型抜きができる。
【００３６】
一対の取付片27の外面34は、互いに平行に形成しているため、バンドや取付金具等の取付部品の取り付けや、アースねじ31によるアース線の接続等、取付片27の外面34への部品取付性を良好にすることが期待できる。
【００３７】
さらに、筐体11の上部から加重が付加された場合、取付片27の下部側に負荷が集中しやすいが、取付片27の厚みが上側から下側に向かって増加するため、取付片27の強度を増し、破損を防止することができる。なお、取付片27の外面34側も傾斜させ、取付片27の下側の肉厚をより厚くすることも可能だが、取付片27の外面34を傾斜させると、取付片27の外面34と筐体11との接触角度が鋭角となる。取付片27の外面34と筐体11との接触角度が鋭角になるほど、その鋭角部分に応力の集中が起きやすくなるため、破損しやすい傾向にある。そのため、一対の取付片27の外面34を互いに平行とすることにより、取付片27の外面34と筐体11との接触角度を略直角として、応力の集中を防止するとともに、取付片27の厚みを上側から下側に向かって増加させることにより、取付片27の強度を増し、破損を防止することができる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
10    照明装置
11    筐体
18    光源としての発光素子
26    取付部
27    取付片
33    内面
34    外面
【図１】
2017033761.tif 000003
【図２】
2017033761.tif 000004
【図３】
2017033761.tif 000005